(57)【特許請求の範囲】
【請求項１】
束ねられた複数の光ファイバを外被により覆うバンドルファイバ及び前記バンドルファイバの外被端部から露出する前記複数の光ファイバを所定の位置で固定するための光ファイバ固定構造であって、
前記バンドルファイバの外被を保持する第１保持部及び前記バンドルファイバの外被端部から露出する前記複数の光ファイバの先端部をそれぞれ保持する第２保持部を備えた保持金具と、
前記バンドルファイバの外被端部から露出する前記複数の光ファイバを挟むように設けられた、厚さ方向へ撓む押さえ板と、
前記押さえ板の前記光ファイバの端面側に固定される、前記複数の光ファイバの端面を一致させつつ保持する固定金具と、
前記バンドルファイバの外被端部と前記押さえ板とを固定する中継金具と、
を有し、
前記第１保持部と前記第２保持部とが一体に形成されており、
前記保持金具は、前記バンドルファイバの外被端部と、前記中継金具と、前記押さえ板と、前記固定金具とを覆っている光ファイバ固定構造。
【請求項２】
請求項1記載の光ファイバ固定構造において、
前記第１保持部及び第２保持部が、それぞれの近傍にて光学部品を含む装置本体に固定される光ファイバ固定構造。
【請求項３】
請求項１または２記載の光ファイバ固定構造において、
前記バンドルファイバ、前記押さえ板、前記固定金具及び前記中継金具を含む光ファイバケーブルを複数備え、
前記光ファイバケーブル毎の各光ファイバの端面が一致するように前記固定金具が積載されて前記第２保持部に固定される光ファイバ固定構造。
【請求項４】
請求項２記載の光ファイバ固定構造において、
前記第２保持部が、前記装置本体に少なくとも２箇所で固定される光ファイバ固定構造。
【請求項５】
外部から供給される画像信号にしたがって投写面上に画像を投写するプロジェクターであって、
請求項１から４のいずれか１項記載の光ファイバ固定構造と、
前記光ファイバ固定構造により複数の光ファイバが固定される光学部品を含む装置本体と、
を有するプロジェクター。
【請求項６】
外部から供給される画像信号にしたがって投写面上に画像を投写するプロジェクターシステムであって、
請求項１から４のいずれか１項記載の光ファイバ固定構造、及び前記光ファイバ固定構造により複数の光ファイバが固定される光学部品を含むプロジェクター本体と、
前記プロジェクター本体の光源となる、レーザー光を生成するレーザー光源と、
前記レーザー光源で生成されたレーザー光を前記プロジェクター本体へ供給する光ファイバを含む光ファイバケーブルと、
を有するプロジェクターシステム。
【発明の詳細な説明】
【技術分野】
【０００１】
本発明は光ファイバを所定の位置で固定するための光ファイバ固定構造及びそれを用いたプロジェクターに関する。
【背景技術】
【０００２】
赤、緑、青のレーザー光を光源に用いるプロジェクターでは、投写映像の明るさを確保するために色毎のレーザー光源をそれぞれ複数使用する場合がある。ここで、比較的出力が大きいレーザー光を各レーザー光源からプロジェクターが備える照明光学系の光学部品まで伝送するには、一般に光ファイバが用いられる。【０００３】
レーザー光を光源に用いるプロジェクターの投写映像における色むらを抑制するには、照明光学系が設計どおり動作するように、レーザー光を伝送する複数の光ファイバの光軸と上記光学部品の光軸とを一致させる必要がある。そのため、光学部品に対する各光ファイバの取り付け位置には高い精度が要求される。また、光ファイバの先端から出射されるレーザー光の出力が大きいことから、光学部品と光ファイバの接続部位には、レーザー光が光学部品以外へ漏洩しない構造としなければならない。なお、ここでいう光ファイバとは、外被が無い、石英ガラス等から成る光ファイバ素線が樹脂等で覆われた光ファイバ心線を指す。【０００４】
また、例えば複数のレーザー光源を備えた装置から複数の光ファイバを束ねてケーブルとして引き出す場合、光ファイバには曲げ角度に大きな制限があるため、該ケーブルの固定部位には大きな荷重が加わる。一方、光ファイバは機械的な強度が弱いため、上記光学部品と光ファイバの接続部位に上記ケーブルの荷重が加わらないようにする必要がある。【０００５】
さらに、レーザー光を光源に用いるプロジェクターでは、より明るい投写映像を得るために色毎のレーザー光源を増設したい場合がある。そのため、レーザー光源を増設して光ファイバケーブルが増える場合でも、容易に対応できることが好ましい。【０００６】
したがって、レーザー光を光源に用いるプロジェクター等の装置では、これらの課題を解決できる上記光学部品に対する光ファイバの固定構造が望まれる。【０００７】
なお、光ファイバや光ファイバケーブルを光学機器等へ固定する場合、例えば特許文献１（特開平０６−２１４１１９号公報）に記載されているようにケーブルグランドが用いられる。特許文献１では、内部で光ファイバ同士を接続するための光ケーブル接続箱にケーブルグランドを用いて光ファイバケーブルが固定された構成が記載されている。【０００８】
しかしながら、ケーブルグランドは、各種装置のケーブル取り出し口に設けられて該ケーブルを保持するためのものであり、上述したように光ファイバの先端から出射されるレーザー光を光学部品へ導くためのものではない。また、ケーブルグランドを用いて光ファイバケーブルを筐体等へ固定しても、各光ファイバを上記光学部品へ精度よく取り付けるために光ファイバケーブルから露出させていると、該光学部品と光ファイバとの接続部位に光ファイバケーブルの荷重が加わることで、光ファイバが破損するおそれもある。
【先行技術文献】
【特許文献】
【０００９】
【特許文献１】特開平０６−２１４１１９号公報
【発明の概要】
【００１０】
本発明は、プロジェクター等の装置の光源に用いるレーザー光を伝送するための光ファイバに好適な光ファイバ固定構造を提供することを目的とする。
【００１１】
上記目的を達成するため本発明の光ファイバ固定構造は、束ねられた複数の光ファイバを外被により覆うバンドルファイバ及び前記バンドルファイバの外被端部から露出する前記複数の光ファイバを所定の位置で固定するための光ファイバ固定構造であって、
前記バンドルファイバの外被を保持する第１保持部及び前記バンドルファイバの外被端部から露出する前記複数の光ファイバの先端部をそれぞれ保持する第２保持部を備えた保持金具と、
前記バンドルファイバの外被端部から露出する前記複数の光ファイバを挟むように設けられた、厚さ方向へ撓む押さえ板と、
前記押さえ板の前記光ファイバの端面側に固定される、前記複数の光ファイバの端面を一致させつつ保持する固定金具と、
前記バンドルファイバの外被端部と前記押さえ板とを固定する中継金具と、
を有し、
前記第１保持部と前記第２保持部とが一体に形成されており、
前記保持金具は、前記バンドルファイバの外被端部と、前記中継金具と、前記押さえ板と、前記固定金具とを覆っている構造である。
【００１２】
一方、本発明のプロジェクターは、外部から供給される画像信号にしたがって画像を投写面上に投写するプロジェクターであって、
上記光ファイバ固定構造と、
前記光ファイバ固定構造により複数の光ファイバが固定される光学部品を含む装置本体と、
を有する。
【図面の簡単な説明】
【００１３】
【図１】図１は、第１の実施の形態の光ファイバケーブルの一例を示す図であり、同図（ａ）は平面図、同図（ｂ）は側面図、同図（ｃ）は正面図である。
【図２】図２は、第１の実施の形態の光ファイバ固定構造の一例を示す斜視図である。
【図３】図３は、第２の実施の形態の光ファイバ固定構造の一例を示す図であり、同図（ａ）は光ファイバケーブルの先端部の処理例を示す斜視図、同図（ｂ）は保持金具の取り付け後の様子を示す斜視図、同図（ｂ）は保持金具の取り付け後の様子を示す断面図である。
【図４】図４は、第３の実施の形態の光ファイバ固定構造の一構成例を示す斜視図である。
【図５】図５は、本発明のプロジェクターシステムの外観例を示す斜視図である。
【図６】図６は、図５に示したプロジェクターシステムの一構成例を示す模式図である。
【図７】図７は、図５に示したプロジェクター本体に対する光ファイバケーブルの固定例を示す斜視図である。
【発明を実施するための形態】
【００１４】
次に本発明について図面を用いて説明する。
（第１の実施の形態）
図１は、第１の実施の形態の光ファイバケーブルの一例を示す図であり、同図（ａ）は平面図、同図（ｂ）は側面図、同図（ｃ）は正面図である。
【００１５】
図１（ａ）〜（ｃ）に示すように、本実施形態の光ファイバケーブル１は、例えば複数のレーザー光源を備えた装置から引き出された、複数の光ファイバ２が束ねられて外被により覆われたバンドルファイバ７を備える。バンドルファイバ７は、光ファイバ２の曲げ角度を抑制するための保護管３でさらに覆われていてもよい。保護管３には、例えば蛇腹状のステンレス鋼等から成る金属管が用いられる。図１（ａ）〜（ｃ）に示す光ファイバケーブル１は、バンドルファイバ７の外被が保護管３で覆われた構成例を示している。
【００１６】
図１（ａ）〜（ｃ）に示す光ファイバケーブル１は、例えば赤、緑、青のレーザー光の色毎に設けられる。光ファイバケーブル１は、２つの色または３つの色単位で設けてもよい。
【００１７】
図１（ａ）及び（ｂ）に示すように、バンドルファイバ７の外被端部から露出する各光ファイバ２は、２枚の押さえ板４で挟まれ、その先端側に平板状の固定金具５が固定されている。
【００１８】
押さえ板４には、厚さ方向へ撓むように比較的薄いアルミニウムや鉄等の金属板が用いられる。固定金具５は、例えば両端に沿って固定用及び位置決め用の穴が設けられた平板状の第１固定部と、該第１固定部上に設置される、フランジ部に上記穴を避けるための切り欠きが設けられた、断面がハット状の第２固定部とを備え、ハット形状の内部に各光ファイバ２が樹脂等を用いて封入・固定される構成である（図１（ｃ）参照）。固定金具５は、その端辺に沿って各光ファイバ２の端部を切削処理することで、それぞれの端面を一致させるためにも用いられる。
【００１９】
押さえ板４と固定金具５とは、例えば接着によって固定される。押さえ板４とバンドルファイバ７の外被端部とは、断面が楕円状の中継金具６を介して接着・固定される。
【００２０】
図２は、第１の実施の形態の光ファイバ固定構造の一例を示す斜視図である。
【００２１】
図２に示すように、第１の実施の形態の光ファイバ固定構造は、図１に示したバンドルファイバ７の外被を保持する第１保持部１０ａと、バンドルファイバ７の外被端部から露出する複数の光ファイバの先端部をそれぞれ保持する第２保持部１０ｂとを有し、第１保持部１０ａと第２保持部１０ｂとが一体に形成された構成である。第１保持部１０ａ及び第２保持部１０ｂは、例えば図２に示す保持金具１０によって実現される。
【００２２】
保持金具１０は、図１に示したバンドルファイバ７の外被、並びに中継金具６、押さえ板４及び固定金具５を含むバンドルファイバ７の外被端部から露出する光ファイバ２全体を覆う形状である。
【００２３】
保持金具１０は、例えば断面がＵ字状に成形された第１金具１１と、該第１金具１１の蓋となる第２金具１２とを備え、第１金具１１内に、図１に示した中継金具６、押さえ板４及び固定金具５を収容する。第１金具１１及び第２金具１２の一端には、上記第１保持部１０ａとなる、断面がハット状に加工された固定部１３，１４を備える。固定部１３，１４は、例えば図１に示したバンドルファイバ７の外被端部または保護管３の端部を挟むことでバンドルファイバ７の外被を保持する。第１金具１１の他端には、上記第２保持部１０ｂとなる、例えば図１に示した固定金具５を固定するための手段を備えている。そのような手段は、固定金具５を固定するための複数のネジ及び該ネジに対応する複数のネジ穴等で実現できる。固定金具５は、保持金具１０に直接固定してもよく、金属板等を介して保持金具１０に固定してもよい。第１金具１１と第２金具１２とは、ネジ等で固定される。保持金具１０には、例えば耐熱性を備えた金属材料が用いられる。特に、アルミニウムや鉄等を用いれば、加工が容易であり、十分な強度を確保できる。保持金具１０の内部には、光ファイバ２から出射されたレーザー光の反射を抑制するために、例えば黒色塗装を施すことが望ましい。
【００２４】
保持金具１０表面の光ファイバ２の端面側となる端部には、光学部品２０と固定するための第１突起部１５が設けられ、保持金具１０表面の光学部品２０から離れた位置には、該光学部品２０を含む装置本体（不図示）へ固定するための第２突起部１６が設けられている。すなわち、第２保持部１０ｂは、その近傍で光学部品２０に固定され、第１保持部１０ａは、その近傍で該光学部品２０を含む装置本体に固定される。第１突起部１５及び第２突起部１６には、ネジ穴が設けられ、第１突起部１５はネジを用いて光学部品２０に固定され、第２突起部１６はネジを用いて装置本体と固定される。
【００２５】
光学部品２０は、図２に示す保持金具１０の取り付け対象であり、各光ファイバ２の先端から出射されたレーザー光を受光する、例えばプロジェクターの照明光学系のレンズ、ミラー等を内部で保持する構成である。光学部品２０は、例えば装置本体に固定されている。
【００２６】
光学部品２０には、保持金具１０を取り付けるための突起部２１が設けられ、該突起部２１には保持金具１０を固定するためのネジ穴及び位置決め用の穴が設けられている。保持金具１０の第１突起部１５には該位置決め用の穴に対応する位置決めピンが設けられ、保持金具１０は、該位置決めピンにより光学部品２０に対して正確な位置に導かれてネジで固定される。ここで、ネジによる第１突起部１５の取り付け方向は、光学部品２０の光軸と並行にすることが望ましい。第１突起部１５の取り付け方向を光学部品２０の光軸と並行にすることで、光学部品２０に対する第１突起部１５の取り付け強度に関係なく、該光学部品２０に対して各光ファイバ２を正確な位置で固定できる。
【００２７】
このように保持金具１０の光ファイバの端面側となる端部を、第１突起部１５の位置決めピンを用いて光学部品２０へ直接取り付けることで、各光ファイバ２を光学部品２０と光軸が一致するように精度よく固定できる。
【００２８】
本実施形態によれば、第１保持部１０ａでバンドルファイバ７の外被端部を保持し、該第１保持部１０ａと一体に形成される第２保持部１０ｂでバンドルファイバ７の外被端部から露出する複数の光ファイバの先端部をそれぞれ保持することで、バンドルファイバ７の外被端部から露出する各光ファイバ２の破損を防止しつつ、該光ファイバ２を所定の位置に固定できる。
【００２９】
また、第１保持部１０ａをその近傍で装置本体と固定し、第２保持部１０ｂをその近傍で光学部品２０と固定することで、光ファイバケーブル１の荷重が加わる、第１保持部１０ａ及び第２保持部１０ｂを実現する保持金具１０を装置本体に強い力で固定できる。そのため、各光ファイバ２を所要の固定位置で継続して保持することができる。
【００３０】
また、図２に示すように、バンドルファイバ７の外被端部から露出する各光ファイバ２を押さえ板４及び平板状の固定金具５で覆うことで、露出した各光ファイバを気遣うことなく、保持金具１０を光ファイバケーブル１に取り付けることができる。
【００３１】
また、押さえ板４、平板状の固定金具５及び中継金具６を含む、バンドルファイバ７の外被端部から露出する光ファイバ２全体を、第１保持部１０ａ及び第２保持部１０ｂを実現する保持金具１０で覆うことで、光ファイバ２から出射されたレーザー光が外部へ漏れることがない。そのため、別途、光漏れ対策を施さなくても、レーザー光から装置使用者を守ることができる。
【００３２】
さらに、位置決めピンを用いて光学部品２０に保持金具１０を取り付けるため、保持金具１０で覆われた各光ファイバ２を、光学部品２０と光軸が一致するように精度よく固定できる。
【００３３】
したがって、プロジェクター等の装置の光源に用いるレーザー光を伝送するための光ファイバに好適な光ファイバ固定構造が得られる。
（第２の実施の形態）
図３は、第２の実施の形態の光ファイバ固定構造の一例を示す図であり、同図（ａ）は光ファイバケーブルの先端部の処理例を示す斜視図、同図（ｂ）は保持金具の取り付け後の様子を示す斜視図、同図（ｂ）は保持金具の取り付け後の様子を示す断面図である。
【００３４】
第２の実施の形態では、レーザー光源を増設することで装置本体と接続する光ファイバケーブル１が増えた場合の保持金具の一例を示す。具体的には、３本の光ファイバケーブル１を光学部品２０及び該光学部品２０を含む装置本体に固定するための光ファイバ固定構造を示す。
【００３５】
各光ファイバケーブル１は、図１に示したバンドルファイバ７、中継金具６、押さえ板４及び固定金具５を備え、第１の実施の形態と同様に、バンドルファイバ７の外被端部から露出する各光ファイバ２が、中継金具６、押さえ板４及び固定金具５を用いてそれぞれ保護されているものとする。
【００３６】
図３（ａ）に示すように、光ファイバケーブル１毎の固定金具５は、互いに積載されて、例えば金属板等に固定される。各固定金具５は、後述する本実施形態の保持金具３０に直接固定してもよい。上述したように、バンドルファイバ７から露出した各光ファイバ２は、厚さ方向へ撓む、比較的薄い金属板から成る押さえ板４で挟まれ、その先端部位が平板状の固定金具５で保護された構成である。そのため、図３（ａ）に示すように押さえ板４を湾曲させても、各光ファイバ２に大きな力が加わることなく各固定金具５を積載できる。各固定金具５は、光ファイバケーブル１毎の各光ファイバ２の端面が一致するように、例えば２つの位置決めピン４０を用いて位置合わせされる。
【００３７】
第２の実施の形態の光ファイバ固定構造は、第１の実施の形態と同様に、各バンドルファイバ７の外被を保持する第１保持部３０ａと、各バンドルファイバ７の外被端部から露出する複数の光ファイバの先端部をそれぞれ保持する第２保持部３０ｂとを有し、第１保持部３０ａと第２保持部３０ｂとが一体に形成された構成である。第１保持部３０ａ及び第２保持部３０ｂは、例えば図３（ｂ）、（ｃ）に示す保持金具３０によって実現される。
【００３８】
保持金具３０は、各バンドルファイバ７の外被、中継金具６、押さえ板４及び固定金具５を含む、各バンドルファイバ７の外被端部から露出する光ファイバ２全体を覆う形状である。すなわち、本発明では、保持金具の形状を光学部品２０へ取り付ける光ファイバケーブル１の数に応じて変更する。
【００３９】
本実施形態の保持金具３０は、光ファイバケーブル１毎の中継金具６、押さえ板４及び固定金具５をそれぞれ収容する第１金具３１と、該第１金具３１の蓋となる第２金具３２とを備える。第１金具３１及び第２金具３２の一端には、上記第１保持部３０ａとなる、断面がハット状に加工された固定部３３，３４を備える。固定部３３，３４は、例えば保護管３の端部を挟むことでバンドルファイバ７の外被を保持する。第１金具３１内の他端には、上記第２保持部３０ｂとなる、例えば図３（ａ）に示した、積載された複数の固定金具５を固定するための手段を備えている。そのような手段は、固定金具５を固定するための複数のネジ及び該ネジに対応する複数のネジ穴等で実現できる。固定金具５は、保持金具３０に直接固定してもよく、金属板等を介して保持金具３０に固定してもよい。第１金具３１と第２金具３２とは、ネジ等で固定される。保持金具３０には、第１の実施の形態と同様に、例えば耐熱性を備えた金属材料が用いられる。保持金具３０の内部には、光ファイバ２から出射されたレーザー光の反射を抑制するために、例えば黒色塗装が施される。
【００４０】
保持金具３０表面の光ファイバ２の端面側となる端部には、第１の実施の形態と同様に、光学部品２０（図２参照）と固定するための第１突起部３５が設けられ、保持金具３０表面の光学部品２０から離れた位置には、該光学部品２０を含む装置本体（不図示）へ固定するための第２突起部３６が設けられている。すなわち、第２保持部３０ｂは、その近傍で光学部品２０に固定され、第１保持部３０ａは、その近傍で該光学部品２０を含む装置本体に固定される。第１突起部３５及び第２突起部３６には、ネジ穴が設けられ、第１突起部３５はネジを用いて光学部品２０に固定され、第２突起部３６はネジを用いて装置本体と固定される。
【００４１】
なお、図３（ａ）〜（ｃ）に示す保持金具３０は、並列な３本の光ファイバケーブル１のうち、外側の光ファイバケーブル１の固定金具５に、他の光ファイバケーブル１の固定金具５を積載する構成に対応した形状例を示している。保持金具３０は、例えば中央の光ファイバケーブル１の固定金具５に外側の２つの光ファイバケーブル１の固定金具５を積載する構成に対応した形状としてもよい。
【００４２】
本実施形態で示すように、本発明の光ファイバ固定構造は、光ファイバケーブル１が増える場合でも、光ファイバケーブル１毎の固定金具５をそれぞれ積載し、光ファイバケーブル１の数に応じた形状の保持金具３０に変更すればよい。そのため、第１の実施の形態で示した効果に加えて、レーザー光源を増設することで光ファイバケーブル１が増えても、容易に対応できる。
（第３の実施の形態）
図４は、第３の実施の形態の光ファイバ固定構造の一構成例を示す斜視図である。
【００４３】
第３の実施の形態の光ファイバ固定構造は、保持金具３０の固定箇所の数が第２の実施の形態と異なる例である。
【００４４】
図４に示すように、第３の実施の形態では、保持金具３０表面の光ファイバ２の端面側となる端部に光学部品２０と固定するための第１突起部３５が設けられ、保持金具３０表面の光学部品２０から離れた位置に該光学部品２０を含む装置本体（不図示）へ固定するための第２突起部３６及び第３突起部３７が設けられている。保持金具３０を装置本体へ固定するための突起部の数は、２つに限定されるものではなく、さらに多くてもよい。その他の構成は、第２の実施の形態で示した構成と同様であるため、その説明は省略する。
【００４５】
各光ファイバケーブル１のバンドルファイバ７の外被端部から露出した光ファイバ２は、図１に示した中継金具６、押さえ板４及び固定金具５を用いて、第１の実施の形態と同様に保護されているものとする。
【００４６】
上述したように、光ファイバケーブル１は、バンドルファイバ７またはその外被をさらに覆う保護管３を備えた構成であるため、光学部品２０に固定する光ファイバケーブル１の数が増えると、その接続部位に大きな荷重が加わる。
【００４７】
本実施形態で示すように保持金具３０の固定箇所を増やせば、複数の光ファイバケーブル１が取り付けられた保持金具３０を、第２の実施の形態よりもさらに強い力で装置本体に固定できる。そのため、より強い力で各光ファイバ２を所要の固定位置で継続して保持することができる。
（第４の実施の形態）
第４の実施の形態では、第１の実施の形態〜第３の実施の形態で示した光ファイバ固定構造を採用したプロジェクターシステムについて説明する。
【００４８】
図５は本発明のプロジェクターシステムの外観例を示す斜視図であり、図６は図５に示したプロジェクターシステムの一構成例を示す模式図である。図７は、図５に示したプロジェクター本体に対する光ファイバケーブルの固定例を示す斜視図である。
【００４９】
図５に示すように、本実施形態のプロジェクターシステムは、プロジェクター本体１００と、レーザー光源装置２００と、レーザー光源装置２００で生成されたレーザー光をプロジェクター本体１００へ供給するための複数の光ファイバを含む光ファイバケーブル３０１、３０２とを有する。
【００５０】
レーザー光源装置２００は、例えば、赤、緑、青のレーザー光を生成する複数のレーザー光源を備える。レーザー光源には、周知の半導体レーザー、固体レーザー、ガスレーザー等が用いられる。
【００５１】
プロジェクター本体１００は、レーザー光源装置２００で生成された赤、緑、青のレーザー光を光源に用いて、例えば外部から供給される画像信号にしたがって投写面（スクリーン等）上に画像を投写する。
【００５２】
光ファイバケーブル３０１は、レーザー光源装置２００で生成された、例えば緑及び青のレーザー光をプロジェクター本体１００へ供給するための複数の光ファイバで構成される。光ファイバケーブル３０２は、レーザー光源装置２００で生成された、例えば赤のレーザー光をプロジェクター本体１００へ供給するための複数の光ファイバで構成される。
【００５３】
図６に示すように、プロジェクター本体１００は、レンズ１０１及び１０２、ダイクロイックミラー１０３、ロッドインテグレータ１０４、レンズ群１０５、ミラー１０６、ＴＩＲプリズム１０７、フィリップスプリズム１０８、ＤＭＤ（Digital  Mirror  Device）１０９、並びに投写レンズ１１１を備える。
【００５４】
レーザー光源装置２００は、緑のレーザー光を生成する第１レーザー光源２０１、青のレーザー光を生成する第２レーザー光源２０２及び赤のレーザー光を生成する第３レーザー光源２０３を備える。第１レーザー光源２０１及び第２レーザー光源２０２で生成された緑及び青のレーザー光は、光ファイバケーブル３０１が備える光ファイバでプロジェクター本体１００へ伝送され、第３レーザー光源２０３で生成された赤のレーザー光は、光ファイバケーブル３０２が備える光ファイバでプロジェクター本体１００へ伝送される。図６では、第１レーザー光源２０１と第２レーザー光源２０２とを共通に記載しているが、レーザー光源装置２００は、第１レーザー光源２０１及び第２レーザー光源２０２を個別に備えている。また、図６では、レーザー光源装置２００が、第１レーザー光源２０１〜第３レーザー光源２０３をそれぞれ１台ずつ備える構成例を示しているが、第１レーザー光源２０１〜第３レーザー光源２０３をそれぞれ複数備えていてもよい。その場合、複数の第１レーザー光源２０１〜第３レーザー光源２０３に対応して、それぞれのレーザー光を伝送するための光ファイバが設けられる。
【００５５】
光ファイバケーブル３０１の各光ファイバ先端から出射された緑及び青のレーザー光は、プロジェクター本体１００が備えるレンズ１０１及びダイクロイックミラー１０３を介してロッドインテグレータ１０４に入射される。光ファイバケーブル３０２が備える各光ファイバの先端から出射された赤のレーザー光は、プロジェクター本体１００が備えるレンズ１０２及びダイクロイックミラー１０３を介してロッドインテグレータ１０４に入射される。ダイクロイックミラー１０３は、入射された赤、緑及び青のレーザー光を色合成して出射する。これらレンズ１０１及び１０２、並びにダイクロイックミラー１０３によって、赤、緑及び青のレーザー光を色合成するためのレーザー光合成部１２０が構成される。本実施形態のプロジェクターシステムでは、このレーザー光合成部１２０が、第１〜第３の実施の形態で示した保持金具１０（または３０）を取り付ける光学部品２０となる。
【００５６】
ロッドインテグレータ１０４は、ダイクロイックミラー１０３から入射されたレーザー光を繰り返し全反射させることで、照度分布が均一となるようにして出射する。ロッドインテグレータ１０４から出射されたレーザー光は、レンズ群１０５、ミラー１０６、ＴＩＲプリズム１０７及びフィリップスプリズム１０８を介してＤＭＤ１０９に照射される。
【００５７】
レンズ群１０５は、ロッドインテグレータ１０４の出射面と対向する位置に配置されている。レンズ１０１の光軸、レンズ群１０５の光軸、ロッドインテグレータ１０４の中心軸はそれぞれ一致している。レンズ群１０５には、リレー光学系を含む。ミラー１０６は、レンズ群１０５から出射されたレーザー光をＴＩＲプリズム１０７に向けて反射する。ＴＩＲプリズム１０７は、例えば２つの三角プリズム１０７ａ、１０７ｂからなり、三角プリズム１０７ａの斜面の一部が三角プリズム１０７ｂの斜面と貼り合わせられた構成である。ミラー１０６で反射した色合成後のレーザー光は三角プリズム１０７ａの斜面で全反射され、他方の面から出射される。ＴＩＲプリズム１０７から出射された赤、緑及び青のレーザー光は、フィリップスプリズム１０８に入射される。フィリップスプリズム１０８は、ＴＩＲプリズム１０７から出射されたレーザー光を、赤、緑及び青の光束に分離し、それぞれ異なる面から出射する。
【００５８】
ＤＭＤ１０９は、赤、緑及び青の光束に対応して３つ備え、フィリップスプリズム１０８で分離された赤、緑及び青の光束をそれぞれ空間的に変調し、色毎の画像光を形成する表示素子である。図６では、１つのＤＭＤ１０９のみ示している。
【００５９】
赤、緑及び青の画像光は、フィリップスプリズム１０８にて色合成された後、ＴＩＲプリズム１０７を介して投写レンズ１１１へ出射され、投写レンズ１１１により不図示の投写面（スクリーン等）上に投写される。
【００６０】
図６に示すプロジェクターシステムでは、レンズ１０１及び１０２、ダイクロイックミラー１０３、ロッドインテグレータ１０４、並びにレンズ群１０５によって照明光学系が構成される。
【００６１】
なお、図６では、表示素子としてＤＭＤを用いる構成例を示しているが、表示素子には、反射型の液晶パネルや透過型の液晶パネル等、周知のその他の表示素子を用いてもよい。表示素子が透過型の液晶パネルの場合、例えばレンズ群１０５から出射されたレーザー光を、分光フィルタ等を備えた該液晶パネル等へ照射する構成としてもよい。
【００６２】
図７に示すように、本実施形態では、例えば図５に示した光ファイバケーブル３０１，３０２のプロジェクター本体１００側の端部に、第１〜第３の実施の形態で示した保持金具１０（または３０）をそれぞれ取り付け、図６に示したレンズ１０１及び１０２、並びにダイクロイックミラー１０３を含むレーザー光合成部１２０に、保持金具１０（または３０）を固定する。なお、図７は、図３（ａ）〜（ｃ）で示した３本の光ファイバケーブルを保持するための保持金具３０を用いる例を示している。すなわち、図５に示したレーザー光源装置２００を３台備え、３本の光ファイバケーブル３０１と、３本の光ファイバケーブル３０２とをプロジェクター本体１００にそれぞれ固定する例を示している。
【００６３】
本実施形態で示すように、本発明ではレーザー光を光源に用いるプロジェクターシステムに好適な光ファイバ固定構造が得られる。
【００６４】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
0005950365.tif 000002
【図２】
0005950365.tif 000003
【図３】
0005950365.tif 000004
【図４】
0005950365.tif 000005
【図５】
0005950365.tif 000006
【図６】
0005950365.tif 000007
【図７】
0005950365.tif 000008